(57)【要約】【課題】移動通信端末機の公衆ネットワーク通話中状態情報を提供することができる私設用移動通信システムを提供する。【解決手段】私設用移動通信システムに登録された少なくとも一つ以上の移動通信端末機と、移動通信端末機の公衆移動通信ネットワークを通じた呼接続可否を表示する公衆ネットワーク通話中状態値を貯蔵するホーム位置登録器と、移動通信端末機の公衆移動通信ネットワークを通じた呼接続可否に応じて、ホーム位置登録器に貯蔵された公衆ネットワーク通話中状態値を変更するメッセージルーティングモジュールと、を含む。【選択図】図１
2004104803.tif 000002
【特許請求の範囲】
【請求項１】
　公衆移動通信システムと連動する私設用移動通信システムにおいて、
　前記私設用移動通信システムに登録された少なくとも一つ以上の移動通信端末機と、
　該移動通信端末機の公衆移動通信ネットワークを通じた呼接続可否を表示する公衆ネットワーク通話中状態値を貯蔵するホーム位置登録器と、
　前記移動通信端末機の公衆移動通信ネットワークを通じた呼接続可否に応じて、前記ホーム位置登録器に貯蔵された公衆ネットワーク通話中状態値を変更するメッセージルーティングモジュールと、を含むことを特徴とする私設用移動通信システム。
【請求項２】
　メッセージルーティングモジュールは、公衆ネットワーク通話中状態の移動通信端末機が公衆移動通信ネットワークから私設用移動通信ネットワークにハンドオフする場合、ホーム位置登録器の移動通信端末機に対する公衆ネットワーク通話中状態値を変更する請求項１記載の私設用移動通信システム。
【請求項３】
　メッセージルーティングモジュールは、移動通信端末機が私設用移動通信ネットワーク内で呼接続状態を終了すると、ホーム位置登録器の移動通信端末機に対する公衆ネットワーク通話中状態値をクリアする請求項１記載の私設用移動通信システム。
【請求項４】
　メッセージルーティングモジュールは、公衆ネットワーク通話中状態の移動通信端末機が私設用移動通信ネットワークから公衆移動通信ネットワークにハンドオフする場合、移動通信端末機が私設用移動通信ネットワークから外れたと判断する請求項１記載の私設用移動通信システム。
【請求項５】
　メッセージルーティングモジュールは、移動通信端末機が私設用移動通信ネットワーク内で呼接続状態を終了すると、ホーム位置登録器の移動通信端末機に対する公衆ネットワーク通話中状態値をクリアする請求項２記載の私設用移動通信システム。
【請求項６】
　メッセージルーティングモジュールは、公衆ネットワーク通話中状態の移動通信端末機が私設用移動通信ネットワークから公衆移動通信ネットワークにハンドオフする場合、移動通信端末機が私設用移動通信ネットワークから外れたと判断する請求項５記載の私設用移動通信システム。
【請求項７】
　私設用移動通信システムが移動通信端末機に対する公衆ネットワーク通話中状態を私設移動通信ネットワークを通じて発信した呼発信移動通信端末機に知らせる請求項１記載の私設用移動通信システム。
【請求項８】
　公衆移動通信システムと連動する私設用移動通信システムにおいて、
　移動通信端末機の公衆移動通信ネットワークを通じた呼接続可否を表示する公衆ネットワーク通話中状態値をホーム位置登録器に貯蔵する段階と、
　移動通信端末機の公衆移動通信ネットワークを通じた呼接続可否に応じて、前記ホーム位置登録器に貯蔵された公衆ネットワーク通話中状態値を変更する段階と、を含むことを特徴とする方法。
【請求項９】
　公衆ネットワーク通話中状態の変更動作は、メッセージルーティングモジュールにより行われる請求項８記載の方法。
【請求項１０】
　公衆ネットワーク通話中状態の移動通信端末機が公衆移動通信ネットワークから私設用移動通信ネットワークにハンドオフする場合、ホーム位置登録器の移動通信端末機に対する公衆ネットワーク通話中状態値を変更する動作が行われる請求項８記載の方法。
【請求項１１】
　移動通信端末機が私設用移動通信ネットワーク内で呼接続状態を終了すると、ホーム位置登録器の移動通信端末機に対する公衆ネットワーク通話中状態値をクリアする段階をさらに含む請求項８記載の方法。
【請求項１２】
　公衆ネットワーク通話中状態の移動通信端末機が私設用移動通信ネットワークから公衆移動通信ネットワークにハンドオフする場合、移動通信端末機が私設用移動通信ネットワークから外れたと判断する段階をさらに含む請求項８記載の方法。
【請求項１３】
　移動通信端末機が私設用移動通信ネットワーク内で呼接続状態を終了すると、ホーム位置登録器の移動通信端末機の公衆ネットワーク通話中状態値をクリアする段階をさらに含む請求項１０記載の方法。
【請求項１４】
　私設用移動通信システムが移動通信端末機に対する公衆ネットワーク通話中状態を私設移動通信ネットワークを通じて発信した呼発信移動通信端末機に知らせる段階をさらに含む請求項８記載の方法。
【請求項１５】
　メッセージルーティングモジュールは、移動通信端末機の位置を私設用移動通信システムへ登録する場合、ホーム位置登録器の移動通信端末機に対する公衆ネットワーク通話中状態値をクリアする請求項１記載の私設用移動通信システム。
【請求項１６】
　メッセージルーティングモジュールは、呼識別情報がインデックスと同一であり、移動通信端末機の識別情報がインデックスと異なる場合、ホーム位置登録器の移動通信端末機に対する公衆ネットワーク通話中状態値をクリアする請求項１記載の私設用移動通信システム。
【請求項１７】
　メッセージルーティングモジュールは、移動通信端末機が私設用移動通信ネットワーク内で私設ネットワーク呼を着信又は発信する場合、該移動通信端末機の公衆ネットワーク通話中状態をクリアする請求項１記載の私設用移動通信システム。
　
【発明の詳細な説明】
【技術分野】
【０００１】
　本発明は移動通信システムに関し、特に、公衆用及び私設用移動通信サービスを共に提供することができる移動通信システムで公衆ネットワークと呼接続（call connection）（通話）状態である私設移動通信ネットワーク加入者に呼着信（call reception）が遂行される場合、通話中状態(Busy state)を知らせるための私設用移動通信システムに関する。
【背景技術】
【０００２】
　一般的に、移動通信ネットワークは公衆移動通信ネットワークと私設（又はオフィス）移動通信ネットワークとに区別されるが、２つのネットワークは相互連動（interwork）が不可能である。即ち、移動通信システムは公衆移動通信サービスのみ又は私設用移動通信サービスのみが可能なようにそれぞれ設計され具現されているので、各ネットワークに登録された移動通信端末機の加入者は自分が登録されたネットワークのみでサービスを受けることができる。従って、公衆移動通信ネットワークに登録された移動通信端末機の加入者は、私設移動通信サービスを受けることができず、同様に私設移動通信ネットワークに登録された移動通信端末機の加入者は公衆移動通信サービスを受けることができなかった。
【０００３】
　その結果、移動通信端末機の加入者が一つの移動通信端末機を利用して公衆移動通信サービス及び私設移動通信サービスを共に受けることができることが要求されている。そして公衆及び私設移動通信サービスを共に提供することができるシステムが具現される場合、呼着信時、その呼が公衆移動通信ネットワークから発信された呼であるか、私設移動通信ネットワークから発信された呼であるかを区別する方法が必要になる。
【０００４】
　ところが、公衆及び私設移動通信サービスを共に受ける移動通信端末機が私設ネットワーク内にある場合、移動通信端末機が呼発信（call origination）メッセージを発生すると、私設移動通信システムは、メッセージルーティング(Routing)過程で公衆ネットワーク呼発信であるか又は呼着信であるかを確認することはできるが、呼接続状態の終了を確認することはできなかった。
【０００５】
　即ち、公衆ネットワークと呼接続状態である私設無線ネットワーク加入者に呼着信が遂行される場合、公衆ネットワーク通話中状態を把握する方法がなかった。同様に、このような従来技術では呼接続状態でチャネルの割り当て／解除(割り当て及び解除)などの特定メッセージがトラヒック状態のパケットで構成され、その特定メッセージを私設無線システムで分析することが不可能であった。
【発明の開示】
【発明が解決しようとする課題】
【０００６】
　従って、このような問題を解決するための本発明の目的は、公衆及び私設移動通信サービスを共に提供可能なシステムで移動通信端末機が私設ネットワーク領域内で公衆ネットワークと通話中である状態を私設移動通信システムが把握することができ、私設ネットワーク領域内における該当移動通信端末機で呼着信要求が受信された場合、公衆ネットワークと通話中であることを使用者（呼を発信した呼発信移動通信端末機の使用者）に知らせて利便性を向上させる私設用移動通信システムを提供することにある。
【０００７】
　本発明の他の目的は、公衆用移動通信システムと連動可能な私設用移動通信システムを提供することにある。
【０００８】
　本発明のさらに他の目的は、公衆用移動通信システムと容易かつ安価に連動可能な私設用移動通信システムを提供することにある。
【課題を解決するための手段】
【０００９】
　このような目的を達成するための本発明による公衆移動通信システムと連動する私設用移動通信システムは、私設用移動通信システムに登録された少なくとも一つ以上の移動通信端末機と、移動通信端末機の公衆移動通信ネットワークを通じた呼接続可否を表示する公衆ネットワーク通話中状態値を貯蔵するホーム位置登録器と、移動通信端末機の公衆移動通信ネットワークを通じた呼接続可否に応じて、ホーム位置登録器に貯蔵された公衆ネットワーク通話中状態値を変更するメッセージルーティングモジュールと、を含む。
【００１０】
　メッセージルーティングモジュールは、公衆ネットワーク通話中状態の移動通信端末機が公衆移動通信ネットワークから私設用移動通信ネットワークにハンドオフする場合、ホーム位置登録器の移動通信端末機に対する公衆ネットワーク通話中状態値を変更するとよい。
【００１１】
　メッセージルーティングモジュールは、移動通信端末機が私設用移動通信ネットワーク内で呼接続状態を終了すると、ホーム位置登録器の移動通信端末機に対する公衆ネットワーク通話中状態値をクリアするとよい。
【００１２】
　メッセージルーティングモジュールは、公衆ネットワーク通話中状態の移動通信端末機が私設用移動通信ネットワークから公衆移動通信ネットワークにハンドオフする場合、移動通信端末機が私設用移動通信ネットワークから外れたと判断することができる。
【００１３】
　メッセージルーティングモジュールは、公衆ネットワーク通話中状態の移動通信端末機が公衆移動通信ネットワークから私設用移動通信ネットワークにハンドオフする場合、ホーム位置登録器の移動通信端末機に対する公衆ネットワーク通話中状態値を設定して貯蔵し、移動通信端末機が私設用移動通信ネットワーク内で呼接続状態を終了すると、ホーム位置登録器の移動通信端末機に対する公衆ネットワーク通話中状態値をクリアするとよい。ここで、メッセージルーティングモジュールは、公衆ネットワーク通話中状態の移動通信端末機が私設用移動通信ネットワークから公衆移動通信ネットワークにハンドオフする場合、移動通信端末機が私設用移動通信ネットワークから外れたと判断することができる。
【００１４】
　私設用移動通信システムが移動通信端末機に対する公衆ネットワーク通話中状態を私設移動通信ネットワークを通じて発信した呼発信移動通信端末機に知らせるようにするとよい。
【００１５】
　メッセージルーティングモジュールは、移動通信端末機の位置を私設用移動通信システムへ登録する場合、ホーム位置登録器の移動通信端末機に対する公衆ネットワーク通話中状態値をクリアするとよい。
【００１６】
　メッセージルーティングモジュールは、呼識別情報がインデックスと同一であり、移動通信端末機の識別情報がインデックスと異なる場合、ホーム位置登録器の移動通信端末機に対する公衆ネットワーク通話中状態値をクリアするとよい。
【００１７】
　メッセージルーティングモジュールは、移動通信端末機が私設用移動通信ネットワーク内で私設ネットワーク呼を着信又は発信する場合、該移動通信端末機の公衆ネットワーク通話中状態をクリアするとよい。
【００１８】
　また、本発明では、公衆移動通信システムと連動する私設用移動通信システムにおいて、移動通信端末機の公衆移動通信ネットワークを通じた呼接続可否を表示する公衆ネットワーク通話中状態値をホーム位置登録器に貯蔵する段階と、移動通信端末機の公衆移動通信ネットワークを通じた呼接続可否に応じて、前記ホーム位置登録器に貯蔵された公衆ネットワーク通話中状態値を変更する段階と、を含むことを特徴とする方法を提供する。
【００１９】
　公衆ネットワーク通話中状態の変更動作は、メッセージルーティングモジュールにより行われるとよい。
【００２０】
　公衆ネットワーク通話中状態の移動通信端末機が公衆移動通信ネットワークから私設用移動通信ネットワークにハンドオフする場合、ホーム位置登録器の移動通信端末機に対する公衆ネットワーク通話中状態値を変更する動作が行われるとよい。
【００２１】
　移動通信端末機が私設用移動通信ネットワーク内で呼接続状態を終了すると、ホーム位置登録器の移動通信端末機に対する公衆ネットワーク通話中状態値をクリアする段階をさらに含むことができる。
【００２２】
　公衆ネットワーク通話中状態の移動通信端末機が私設用移動通信ネットワークから公衆移動通信ネットワークにハンドオフする場合、移動通信端末機が私設用移動通信ネットワークから外れたと判断する段階をさらに含むとよい。この場合、移動通信端末機が私設用移動通信ネットワーク内で呼接続を終了すると、ホーム位置登録器の移動通信端末機の公衆ネットワーク通話中状態値をクリアする段階をさらに含むとよい。
【００２３】
　さらに、この方法では、私設用移動通信システムが移動通信端末機に対する公衆ネットワーク通話中状態を私設移動通信ネットワークを通じて発信した呼発信移動通信端末機に知らせる段階をさらに含むとよい。
【発明の効果】
【００２４】
　本発明によれば、私設移動通信システムが私設無線ネットワーク内にある移動通信端末機の公衆ネットワーク通話中状態を認識することができるようになり、私設無線ネットワーク領域内の該当無線端末機で呼着信要求が受信された場合、公衆ネットワーク通話中であることを知らせて使用者の便利を図ることができるようになる。
【発明を実施するための最良の形態】
【００２５】
　以下、本発明に従う好適な一実施形態について添付図を参照しつつ詳細に説明する。下記の説明において、本発明の要旨のみを明瞭にする目的で、関連した公知機能又は構成に関する具体的な説明は省略する。
【００２６】
　公衆／私設(公衆及び私設)移動通信システムはＡＴＭ（Asynchronous Transfer Mode）を基本にしており、チャネルの割り当て／解除(割り当て及び解除)などのメッセージがトラヒックチャネルではない別の追加信号チャネルを通じて伝送されるので、本発明の一実施形態では信号の分析を通じて私設無線端末機の公衆ネットワーク呼接続状態終了可否を正確に認識する方法を具現して、これにより公衆ネットワーク通話中制御機能を提供する。移動通信端末機が私設無線ネットワーク内で公衆ネットワークと通話中である状態を私設移動通信システムが把握できるようにし、私設無線ネットワーク領域(area)内で該当無線端末機が呼着信要求を受信する場合に公衆ネットワークと通話中状態であることを知らせて、使用者の利便性を向上させるようにする。
【００２７】
　したがって、本発明の一実施形態では、公衆ネットワーク呼のために割り当てられる私設無線ネットワークシステムにおける下位基地局のチャネルを管理する。このようなチャネル割り当てを管理するために、本発明の一実施形態に従う私設無線ネットワークシステム内のＢＴＭＲ(pBTS Message Router(private Base Station Transceiver Subsystem Message Router))は基地局又は上位基地局制御局(Base Station Controller：ＢＳＣ)へのメッセージをルーティングするようになる。ＢＴＭＲは上位システム(上位ＢＳＣ及び隣接上位ＢＳＣ)から私設移動通信端末機に対するチャネル割り当て要求があると、このチャネル割り当て要求情報を記録する。チャネル割り当てが完了した場合、ＢＴＭＲはチャネル割り当て要求情報に基づいて私設ホーム位置登録器（private Home Location Register：ｐＨＬＲ）内の移動通信端末機の公衆ネットワーク通話中状態を変更する。以後、このチャネルが解除されると、ＢＴＭＲは現在この呼に割り当てられた公衆ネットワークチャネルの数を判断して、全ての公衆ネットワークチャネルが解除された場合にｐＨＬＲ内移動通信端末機の公衆ネットワーク通話中状態をクリアする。
【００２８】
　図１は本発明の一実施形態に従う公衆及び私設移動通信サービスの概念を説明するためのネットワーク構成図である。図１には、公衆及び私設移動通信サービスが共に提供される公衆及び私設共有通信サービス領域である公衆／私設共有セル領域（Public/Private Shared Cell Area）１４、公衆／私設通信サービス装置１２を示している。公衆／私設共有セル領域１４は特定集団が通信サービスを提供するのに役に立つよう定められるのが望ましい。例えば、特定会社が一つのビルを使用していると、そのビルが属する領域を公衆／私設共有セル領域１４に定めることができる。公衆／私設共有セル領域１４は事前に公衆移動通信サービス業者との協議下で決定されることが望ましい。これは公衆／私設共有セル領域１４にある私設基地局８−ｋが公衆移動通信システムの観点からみた場合、公衆基地局のように認識されるようにするためである。本発明の一実施形態では公衆移動通信システムに属している基地局(Base station Transceiver Subsystem：ＢＴＳ)、即ち、図１に一例として示したＢＴＳ６−１、．．．、６−ｋ、８−１と公衆／私設共有セル領域１４にあるｐＢＴＳ８−ｋとを区別するために、私設基地局８−ｋを“ｐＢＴＳ(private BTS)”と称する。ｐＢＴＳ８−ｋは公衆／私設共有セル領域１４に属している移動通信端末機（mobile station：ＭＳ）２４と共に無線通信パスを構成し、無線資源を管理する機能を遂行する。また、ｐＢＴＳ８−ｋは公衆／私設通信サービス装置１２を通じて公衆移動通信システムのＢＳＣ、例えば、図１の示したＢＳＣ４−ｍと接続される。公衆／私設通信サービス装置１２は公衆移動通信システムのＢＳＣ４−ｍ、ＰＳＴＮ／ＩＳＤＮ(Public Switched Telephone Network and Integrated Services Digital Network)１６、ＩＰネットワーク(Internet Protocol Network)１８と接続される。公衆／私設通信サービス装置１２は公衆移動通信サービス及び私設移動通信サービスが公衆／私設共有セル領域１４にあるＭＳに、例えば、図１のＭＳ２４に選択的に提供され得るように移動通信サービスを遂行する。ＭＳ２４が私設移動通信サービスを受けることができるように公衆／私設通信サービス装置１２に登録されていると、ＭＳ２４は公衆移動通信サービスだけでなく、私設移動通信サービスをも受けることができる。しかし、ＭＳ２４の私設移動通信サービス登録が公衆／私設通信サービス装置１２にされていないと、ＭＳ２４は公衆移動通信サービスのみを受けることができる。また、公衆／私設通信サービス装置１２はＰＳＴＮ／ＩＳＤＮ１６及びＩＰ１８との有線通信サービスも遂行する。
【００２９】
　公衆移動通信ネットワークを一般的にＰＬＭＮ(Public Land Mobile Network)と称する。図１に示したように、ＰＬＭＮのための公衆移動通信システムは、複数個の移動交換局(ＭＳＣ:Mobile Switching Center)２−１、．．．、２−ｎ、複数個のＢＳＣ４−１、．．．、４−ｍ、複数個のＢＴＳ６−１、．．．、６−ｋ、８−１、．．．、８−ｋ、ＭＳ２０、２２、２４、及び、ＨＬＲ／ＶＬＲ(Home Location Register/Visitor Location Register)１０を含む。複数個のＭＳＣ２−１、．．．、２−ｎのそれぞれには複数個のＢＳＣ４−１、．．．、４−ｍが接続され、複数個のＢＳＣ４−１、．．．、４−ｍのそれぞれには複数個のＢＴＳ６−１、．．．、６−ｋ、８−１、．．．、８−ｋが接続される。特に、ｐＢＴＳ８−ｋは本発明の一実施形態に応じて公衆移動通信システムのＢＳＣ４−ｍに接続された複数個のＢＴＳ８−１、．．．、８−ｋのうち一つとして接続されている。複数個のＭＳＣ２−１、．．．、２−ｎのそれぞれは自分に接続された複数個のＢＳＣ(例えば、４−１、．．．、４−ｍ)をＰＳＴＮ／ＩＳＤＮや公衆移動通信ネットワーク内の他のＭＳＣとの接続制御を遂行する。複数個のＢＳＣ４−１、．．．、４−ｍのそれぞれは無線リンク制御機能、ハンドオフ機能を遂行し、複数個のＢＴＳ６−１、．．．、６−ｋ、８−１、．．．、８−ｋは自分の通信サービス領域、即ち、自分のセル領域に属するＭＳ２０、２２、２４と共に無線通信パスを構成し、無線資源を管理する機能を遂行する。ＨＬＲ／ＶＬＲ１０において、ＨＬＲは加入者位置登録機能及び加入者の情報を貯蔵するデータベース（ＤＢ）機能を遂行し、ＶＬＲは複数個のＭＳＣ２−１、．．．、２−ｎのうち対応ＭＳＣが担当するセル領域に存在するＭＳの情報を一時的に貯蔵するデータベースである。ＭＳが他のＭＳＣが管理するセル領域に移動するようになると、該当ＶＬＲに貯蔵された情報は削除される。本発明の一実施形態では公衆／私設共有セル領域１４と区別するために、公衆移動通信システムのＢＴＳ(６−１、．．．、６−ｋ、８−１、．．．、)の通信サービス領域を公衆専用セル領域（Public Dedicated Cell Area）と称する。図１ではその一例として公衆移動通信システムのＢＴＳ(６−１、．．．、６−ｋ、８−１、．．．、)のうち、ＢＴＳ(８−１)の通信サービス領域を公衆専用セル領域１５として示した。通常、公衆専用セル領域１５は特定集団の通信サービスの提供に役に立つように定められた公衆／私設共有セル領域１４より非常に広い。
【００３０】
　図２は本発明の一実施形態に従う私設移動通信システムの構成を示す。
【００３１】
　本発明の一実施形態では、公衆ネットワーク呼のために割り当てられた私設移動通信システムにおける下位基地局（すなわち、ＢＴＳ）のチャネルを管理する。移動通信端末機のハンドオフに起因して多くのＢＴＳが公衆ネットワーク呼接続に関与するが、私設無線システムは自分と接続されたＢＴＳのみのチャネル割り当て状態を管理することにより、私設移動通信端末機の公衆ネットワーク通話中状態を正確に認識することができる。
【００３２】
　私設移動通信システムには基地局とのメッセージをルーティングするためのメッセージルーティングモジュール(以下、ＢＴＭＲ)が存在する。上位システム(上位ＢＳＣ及び隣接上位ＢＳＣ)が私設無線端末機に対するチャネル割り当て要求情報を発生すると、ＢＴＭＲはこのチャネル割り当て要求情報を記録し、その後、チャネル割り当てが完了すると、そのチャネル割り当て要求情報に基づいてｐＨＬＲ内における私設移動通信端末機の公衆ネットワーク通話中状態を変更する。以後、このチャネルが解除されると、ＢＴＭＲは現在この呼に割り当てられた公衆ネットワークチャネルの数を判断して、全ての公衆ネットワークチャネルが解除された場合にｐＨＬＲ内における私設移動通信端末機の公衆ネットワーク通話中状態をクリアする。また、ＢＴＭＲはメッセージ損失などによる誤りを処理する。
【００３３】
　具体的に図２に基づいて説明すると、私設移動通信システムは制限された領域(地域、または建物)のＭＳ４０の加入者に私設無線ネットワークサービスを提供する。私設移動通信システムは、ｐＢＴＳ８−（ｋ−１）、８−ｋ、公衆移動通信システムの中で私設基地局制御局（private BSC：ｐＢＳＣ）と私設移動交換局（private Mobile Switching center：ｐＭＳＣ）の機能を遂行する公衆／私設通信サービス装置１２を含む。公衆／私設通信サービス装置１２は、ｐＢＳＣ／ｐＭＳＣ５０、ｐＨＬＲ３０及びＰＭＳ ＤＢ(Public MS DB)３２を含む。ｐＢＳＣ／ｐＭＳＣ５０はＢＴＭＲ(pBTS Message Router)５２及びｐＭＳＣ５４を含む。ＢＴＭＲ５２は公衆移動通信システムのＢＳＣに相当する機能、即ち、無線リンク制御機能、ハンドオフ機能を遂行する。具体的には、ＢＴＭＲ５０はｐＢＴＳ８−ｋで処理する全てのメッセージに対するパス指定を担当するモジュールとして、内部のルータテーブルを参照してＭＳ４０の呼着信、呼発信サービス(公衆、私設)のための制御(シグナル)メッセージパスを指定し、ｐＢＴＳ８−ｋの維持保守サービスのためのメッセージパスを指定する。また、ＢＴＭＲ５２はｐＨＬＲ３０と通信する。
【００３４】
　さらに、詳細に説明すると、ＢＴＭＲ５２は私設無線ネットワークシステムの下位ＢＴＳに対するメッセージをルーティングする。このようなメッセージには公衆ネットワークチャネル割り当て要求／確認(Request and Confirm)メッセージ及び公衆ネットワークチャネルの解除要求メッセージが含まれる。公衆ネットワークチャネル割り当て要求／確認メッセージには、初期呼発信に対するチャネル割り当て(私設無線ネットワークシステム内の公衆ネットワーク呼発信)、私設無線ネットワークシステムのＢＳＣ内におけるソフトハンドオフのためのチャネル割り当て、ＢＳＣ間ソフトハンドオフのためのチャネル割り当てに関するメッセージが含まれる。移動通信端末機のＭＳ−ＩＤ(Electronic Serial Number/Mobile Identification Number：ＥＳＮ/ＭＩＮ)情報は、チャネル割り当て要求メッセージに含まれ、確認メッセージには含まれない。私設移動通信端末機の公衆ネットワーク割り当てチャネルの管理及び公衆ネットワーク通話中状態サービスの確立のために、チャネル割り当て要求時、移動通信端末機の情報を記録する必要があるので、公衆ネットワーク割り当てチャネル管理サービス及び公衆ネットワーク通話中状態サービスを実行する間、チャネル割り当て要求／確認メッセージを全て利用する。公衆ネットワークチャネルの解除要求メッセージには、呼接続状態終了の場合におけるチャネルの解除要求、ソフトハンドオフドロップの場合におけるチャネル解除要求に関するメッセージが含まれる。このような解除メッセージは呼カットオフ状態又はハンドオフドロップ状態の場合に上位システムから基地局にチャネルレンジング（ranging）の解除を要求するメッセージである。したがって、解除メッセージが発生すると、基地局からの次の確認メッセージとは無関係にチャネルが解除されたと判断する。
【００３５】
　ｐＭＳＣ５４は、公衆移動通信ネットワークサービスと私設移動通信ネットワークサービスの支援において、既存公衆移動通信ネットワークのＭＳＣの役割と一致する機能を行う。具体的に説明すると、ｐＭＳＣ５４は、加入者のサービス要求を分析し、これを既存公衆移動通信ネットワークサービスで処理させるか、又は、私設移動通信ネットワークサービスで処理させるかどうかに対する基本的なストラテジー（strategy）とこのストラテジーに対する制御手続きを定義する。ｐＭＳＣ５４は既存公衆ＭＳＣとは異なり、自分が直接スイッチング機能を行うことができない。ｐＭＳＣ５４はソフトウェアブロックであるので、公衆ＭＳＣのようなスイッチがない。従って、私設移動通信サービスを提供する場合、本発明の一実施形態による公衆／私設通信サービス装置１２は私設交換システム（private exchange system）(図示省略)のスイッチを使用する。ｐＨＬＲ３０は私設移動通信サービスに登録された加入者情報、私設移動通信加入者の位置登録情報、各種機能サービスのための情報を管理するモジュールである。このｐＨＬＲには多様な情報を貯蔵するデータベースが接続されている。
【００３６】
　本発明の一実施形態では公衆ネットワーク割り当てチャネル管理のためのＰＭＳ ＤＢ３２をさらに設ける。このＰＭＳ ＤＢ３２は特定私設移動通信端末機の公衆ネットワークを通じた通話可否を判断するデータベースとして使用される。この目的のため、ＰＭＳ ＤＢ３２は最大可能公衆ネットワーク呼接続数の大きさを有するように設計され、各呼に対して(特定移動通信端末機の公衆ネットワーク呼情報)呼識別情報(call_job_id)が存在する。ハンドオフチャネルはチャネル識別情報(leg_id)を基礎とする他のチャネルと区分される。チャネル識別情報は最大３個まで同時に存在することができる。一方、呼解除の場合、解除メッセージには、呼識別情報は含まれず、基地局識別情報(brc_job_id、及び、brc_db_id)のみが含まれるので、ＰＭＳ ＤＢ３２はチャネル割り当て時に各チャネルに対して基地局識別情報を貯蔵する。
【００３７】
　このようなＰＭＳ ＤＢ３２は公衆ネットワーク通話中状態を示す信号によって制御される。理想的な処理のために、ＰＭＳ ＤＢの特定インデックスに呼識別情報(call_job_id)が存在し、また、その特定インデックスにチャネルが存在する場合、該当ＥＳＮの私設移動通信端末機のＨＬＲ ＤＢ３０（ｐＨＬＲ３０のデータベース）のにおける公衆ネットワーク状態は通話中状態になるべきである。しかし、実際には、このような公衆ネットワークの通話中状態の具現は難しい。したがって、ＢＴＭＲ５２がＰＭＳ ＤＢ３２を利用して移動通信端末機の公衆ネットワークを通じた通話可否を判断した場合、ＨＬＲ ＤＢを更新するようにする。ＢＴＭＲ５２は公衆ネットワーク通話中状態情報の正確性のために呼制御過程でＨＬＲ　ＤＢ判読／記録時、ＨＬＲ ＤＢの公衆ネットワーク通話中状態に対してエラー訂正機能をするようにする。
【００３８】
　ＢＴＭＲ５２はチャネル管理の立場でＰＭＳ ＤＢ３２の公衆ネットワーク通話中情報からチャネル割り当て関連メッセージを区分しない。ＢＴＳに対するチャネル割り当て要求メッセージをインターセプトする場合、ＢＴＭＲ５２は、そのチャネル割り当て要求メッセージに含まれる呼識別情報、チャネル識別情報及び移動通信端末機識別情報(ＭＳＩＤ)を記録する。基地局からチャネル割り当て確認メッセージを受信すると、ＢＴＭＲ５２は該当チャネルの割り当てが正常に行われた場合に限ってＰＭＳ ＤＢ３２を検索し、該当呼識別情報に含まれる基地局識別情報(brc_db_id、及び、brc_job_id)を貯蔵し、ＨＬＲ　ＤＢのＭＳ公衆ネットワーク通話中状態を通話中状態に設定する。
【００３９】
　以後、ＢＴＭＲ５２は移動通信端末機の公衆ネットワーク呼が完全に終了したことを示すメッセージを受信する。ソフトハンドオフにより各種チャネルが割り当てられた場合には、チャネル識別情報によって分類された各基地局にメッセージが伝送されるが、ＢＴＭＲ５２ではエラーの発生を低減するために、ＰＭＳ ＤＢ３２の該当呼識別情報ＤＢを含む全てのチャネル識別情報を削除し、ＨＬＲの公衆ネットワーク通話中状態をクリアする。
【００４０】
　また、ＭＳ４０が私設移動通信ネットワークから公衆ネットワークにハンドオフすると、ＢＴＭＲ５２はＰＭＳ ＤＢ３２内の該当チャネル識別情報をクリアし、ｐＨＬＲ３０の公衆ネットワーク通話中状態を維持する。この場合、全てのチャネルがクリアされると、ＢＴＭＲ５２はハンドオフ過程の間にＭＳ４０が私設移動通信ネットワーク領域から外れたと判断する。従って、ＢＴＭＲ５２は、ＰＭＳ ＤＢ３２をクリアし、ｐＨＬＲ３０の公衆ネットワーク通話中状態をクリアし、ＭＳ４０の状態を制御不能（out of control）状態に変更する。ここでＭＳ４０の状態を制御不能状態に変更するのは、呼接続状態におけるＭＳ４０が私設移動通信ネットワークから外れたことが確実であるので、以後のページング時間及び公衆ネットワーク変換時間を短縮するためである。
【００４１】
　一方、ＢＴＭＲ５２は、公衆ネットワーク呼のためのチャネル割り当て状態を通じて公衆ネットワーク通話中状態を管理するので、私設移動通信ネットワーク内のアイドル（idle）状態にある移動通信端末機が予測不可能な問題により公衆ネットワーク通話中状態が維持されている点で呼着信が遂行されない場合がある。このような問題を解決するために、ＢＴＭＲタスクと呼タスクはｐＨＬＲ３０のデータベースを判読／記録する必要があると、公衆ネットワーク通話中状態を更新してエラー訂正機能を遂行する。第一に、私設移動通信ネットワークで移動通信端末機の呼着信及び呼発信のオペレーションがある場合、ＢＴＭＲ５２は該当移動通信端末機の公衆ネットワーク通話中状態をクリアする。ＢＴＭＲ５２はルーティングのためにＨＬＲ ＤＢ更新時に公衆ネットワーク通話中状態をクリアする。第二に、ＭＳ４０の位置登録をする場合にＢＴＭＲ５２が該当移動通信端末機の公衆ネットワーク通話中状態をクリアする。呼タスクはＢＴＭＲ５２からＭＳ４０の位置登録を受信する場合に公衆ネットワーク状態をクリアする。第三に、ＰＭＳ ＤＢ３２の情報を更新する場合に呼識別情報がＰＭＳ ＤＢインデックスと同一であり、ＥＳＮ／ＭＩＮなどのＭＳ ＩＤがＰＭＳ　ＤＢインデックスと異なる場合には、ＢＴＭＲ５２は該当ＰＭＳ ＤＢインデックスをクリアし、該当移動通信端末機の公衆ネットワーク状態をクリアする。
【００４２】
　pＨＬＲ３０は私設移動通信サービスに登録された加入者情報、例えば、図３に示したように、ＭＳのＭＩＮ、有線端末内線番号（WIRED TERMINAL EXTENSION NUMBER）及び状態値（STATE）を貯蔵する。本発明の一実施形態に従って、ｐＨＬＲ３０は各私設移動通信端末機の公衆ネットワーク通話中状態を示すパラメータを含み、ＢＴＭＲ５２の情報に応じて各移動通信端末機の公衆ネットワーク通話中状態を更新する。これによって、公衆ネットワーク通話中状態である移動通信端末機に呼着信が遂行されると、ＢＴＭＲ５２はｐＨＬＲ３０に貯蔵された公衆ネットワーク通話中状態を示すパラメータを参照して呼制御処理を遂行する。
【図面の簡単な説明】
【００４３】
【図１】本発明の一実施形態に従う公衆用及び私設用移動通信サービスの概念を説明するためのネットワーク構成図。
【図２】本発明の一実施形態に従う私設用移動通信システムの構成を示した図。
【図３】本発明の一実施形態に従うｐＨＬＲに貯蔵された私設用移動通信サービスに登録された加入者情報の一例を示す図。
【符号の説明】
【００４４】
２−１〜２−ｎ　ＭＳＣ（移動交換局）
４−１〜４−ｍ　ＢＳＣ（基地局制御局）
６−１〜６−ｋ，８−１　ＢＴＳ（基地局）
８−（ｋ−１），８−ｋ　ｐＢＴＳ（私設基地局）
１０　ＨＬＲ／ＶＬＲ
１２　公衆／私設通信サービス装置
１４　公衆／私設共有セル領域
１５　公衆専用セル領域
１６　ＰＳＴＮ／ＩＳＤＮ
１８　ＩＰネットワーク
２０，２２，２４，４０　ＭＳ（移動通信端末機）
３０　ｐＨＬＲ（私設ホーム位置登録器）
３２　ＰＭＳ ＤＢ
５０　ｐＢＳＣ／ｐＭＳＣ
５２　ＢＴＭＲ
５４　ｐＭＳＣ
【図１】
2004104803.tif 000003
【図２】
2004104803.tif 000004
【図３】
2004104803.tif 000005